(57)【要約】【課題】  端末の種類によらずにネットワークに接続可能で、かつセキュリティを向上したネットワーク接続装置を提供する。【解決手段】  ネットワーク接続装置３０は、ネットワーク２０に接続するためのネットワークコネクタ部と、端末２２と通信するための端末コネクタ部と、端末２２のユーザの識別情報を入力するための識別情報入力部と、ネットワークコネクタ部と端末コネクタ部との間の情報伝送を可能にする制御部とを有する。ネットワーク接続装置１０は、識別情報入力部から入力された識別情報に応じて、制御部によりネットワークコネクタ部と端末コネクタ部との間の情報伝送を可能とすることにより、端末２２をネットワーク２０に接続する。【選択図】  図１
2005056227.tif 000002
【特許請求の範囲】
【請求項１】
ネットワークに接続するためのネットワークインターフェース部と、
端末と通信するための端末インターフェース部と、
前記端末と前記ネットワークとの接続可否の判定に用いられる前記端末のユーザの識別情報を入力するための識別情報入力部と、
前記識別情報入力部から入力された前記識別情報に基づく判定結果に応じて、前記ネットワークインターフェース部と前記端末インターフェース部との間の情報伝送を可能にする制御部と、
を備えることを特徴とするネットワーク接続装置。
【請求項２】
前記制御部が、
前記端末を前記ネットワークに接続可能か否か判定する判定装置に前記ネットワークインターフェース部を通じて前記識別情報を送信する識別情報送信部と、
前記判定装置から送信される、前記ネットワークへの接続を許可することを示す接続許可情報を前記ネットワークインターフェース部を通じて受信する受信部と、
を有することを特徴とする請求項１に記載のネットワーク接続装置。
【請求項３】
前記識別情報入力部が、前記識別情報を記憶した携帯端末と通信するための携帯端末インターフェース部を有することを特徴とする請求項１に記載のネットワーク接続装置。
【請求項４】
前記識別情報に基づくネットワーク接続可否の判定結果に関する情報を前記携帯端末に送信することを特徴とする請求項３に記載のネットワーク接続装置。
【請求項５】
前記識別情報入力部が、前記識別情報を記憶したＩＣカードと通信するためのＩＣカードインターフェース部を有することを特徴とする請求項１に記載のネットワーク接続装置。
【請求項６】
前記識別情報に基づくネットワーク接続可否の判定結果に関する情報を前記ＩＣカードに書き込むことを特徴とする請求項５に記載のネットワーク接続装置。
【請求項７】
前記識別情報入力部が、前記識別情報を入力可能でかつ前記端末とは異なる識別情報入力用装置と通信するための通信インターフェース部を有することを特徴とする請求項１に記載のネットワーク接続装置。
【請求項８】
前記識別情報に基づくネットワーク接続可否の判定結果に関する情報を前記識別情報入力用装置に送信することを特徴とする請求項７に記載のネットワーク接続装置。
【請求項９】
前記制御部が、前記端末を前記ネットワークに接続可能であるとの前記識別情報に基づく判定に応じて、前記ネットワークにログインするための情報を前記端末インターフェース部から送信することを特徴とする請求項１に記載のネットワーク接続装置。
【請求項１０】
前記ユーザの認証情報を入力するための認証情報入力部をさらに備え、
前記制御部が、前記認証情報を入力したユーザが正当なユーザであるとの判定に応じて、前記ネットワークインターフェース部と前記端末インターフェース部との間の情報伝送を可能にする、
ことを特徴とする請求項１に記載のネットワーク接続装置。
【請求項１１】
前記制御部が、
ユーザ認証を行う認証装置に前記ネットワークインターフェース部を通じて前記認証情報を送信する認証情報送信部と、
前記認証装置から送信される、前記ネットワークへの接続を許可することを示す接続許可情報を前記ネットワークインターフェース部を通じて受信する受信部と、
を有することを特徴とする請求項１０に記載のネットワーク接続装置。
【請求項１２】
前記認証情報の正当性を確認するための確認用認証情報を格納した媒体から送信される確認用認証情報を受信する確認用認証情報受信部を備えることを特徴とする請求項１０に記載のネットワーク接続装置。
【請求項１３】
前記認証情報入力部が、前記認証情報を入力可能でかつ前記端末とは異なる認証情報入力用装置と通信するための通信インターフェース部を有することを特徴とする請求項１０に記載のネットワーク接続装置。
【請求項１４】
前記認証情報に基づく認証結果に関する情報を前記認証情報入力用装置に送信することを特徴とする請求項１３に記載のネットワーク接続装置。
【請求項１５】
前記認証情報が前記ユーザの生体情報であることを特徴とする請求項１０に記載のネットワーク接続装置。
【請求項１６】
前記認証情報を入力したユーザが正当なユーザであるとの認証結果に応じて、前記ネットワークにログインするための情報を前記端末インターフェース部から送信することを特徴とする請求項１０に記載のネットワーク接続装置。
【請求項１７】
請求項２〜１６のいずれか１項に記載のネットワーク接続装置と、
前記ネットワーク接続装置から送信された前記識別情報に基づいて、前記端末を前記ネットワークに接続可能か否か判定し、接続可能と判定した場合に前記接続許可情報を前記ネットワーク接続装置に送信する前記判定装置と、
を備えることを特徴とするネットワーク接続システム。
【請求項１８】
端末をネットワークに接続するためのネットワーク接続装置に前記端末のユーザの識別情報を入力する識別情報入力ステップと、
前記端末を前記ネットワークに接続可能か否か前記識別情報に基づいて判定する判定ステップと、
前記端末を前記ネットワークに接続可能との判定に応じて、前記ネットワークに接続するためのネットワークインターフェース部と、前記端末と通信するための端末インターフェース部との間の情報伝送を可能にする接続制御ステップと、
を有することを特徴とするネットワーク接続方法。
【請求項１９】
前記識別情報入力ステップでは、
前記ネットワーク接続装置が、携帯端末に記憶された前記識別情報を前記携帯端末から受信することを特徴とする請求項１８に記載のネットワーク接続方法。
【請求項２０】
前記識別情報入力ステップでは、
前記ネットワーク接続装置が、ＩＣカードに記憶された前記識別情報を読み取ることを特徴とする請求項１８に記載のネットワーク接続方法。
【請求項２１】
前記識別情報入力ステップでは、
前記端末とは異なる識別情報入力用装置に入力された前記識別情報を前記ネットワーク接続装置が前記識別情報入力用装置から受信することを特徴とする請求項１８に記載のネットワーク接続方法。
【請求項２２】
前記端末を前記ネットワークに接続可能であるとの前記識別情報に基づく判定に応じて、前記ネットワークにログインするための情報を前記端末に送信するステップを有することを特徴とする請求項１８に記載のネットワーク接続方法。
【請求項２３】
前記ネットワーク接続装置に前記ユーザの認証情報を入力する認証情報入力ステップと、
前記認証情報に基づいてユーザの認証を行うユーザ認証ステップと、
を有し、
前記接続制御ステップでは、前記認証情報を入力したユーザが正当なユーザであるとの判定に応じて、前記ネットワークインターフェース部と前記端末インターフェース部との間の情報伝送を可能にする、
ことを特徴とする請求項１８に記載のネットワーク接続方法。
【請求項２４】
ネットワークに接続するためのネットワークインターフェース部および端末と通信するための端末インターフェース部を有するコンピュータにより、前記端末を前記ネットワークに接続させるためのプログラムであって、
前記端末のユーザの識別情報を入力させる識別情報入力ステップと、
前記端末を前記ネットワークに接続可能か否か前記識別情報に基づいて判定する判定ステップと、
前記端末を前記ネットワークに接続可能との判定に応じて、前記ネットワークインターフェース部と前記端末インターフェース部との間の情報伝送を可能にする接続制御ステップと、
を前記コンピュータに実行させることを特徴とするプログラム。
【請求項２５】
前記識別情報入力ステップでは、
携帯端末から送信される、前記携帯端末に記憶された前記識別情報を前記コンピュータに受信させることを特徴とする請求項２４に記載のプログラム。
【請求項２６】
前記識別情報入力ステップでは、
ＩＣカードに記憶された前記識別情報を前記コンピュータに読み取らせることを特徴とする請求項２４に記載のプログラム。
【請求項２７】
前記識別情報入力ステップでは、
前記識別情報を入力可能でかつ前記端末とは異なる識別情報入力用装置から送信される前記識別情報を前記コンピュータに受信させることを特徴とする請求項２４に記載のプログラム。
【請求項２８】
前記端末を前記ネットワークに接続可能であるとの前記識別情報に基づく判定に応じて、前記ネットワークにログインするための情報を前記端末インターフェース部から送信するステップを前記コンピュータに実行させることを特徴とする請求項２４に記載のプログラム。
【請求項２９】
前記ユーザの認証情報を入力させる認証情報入力ステップと、
前記認証情報に基づいてユーザの認証を行うユーザ認証ステップと、
を有し、
前記接続制御ステップでは、前記認証情報を入力したユーザが正当なユーザであるとの判定に応じて、前記ネットワークインターフェース部と前記端末インターフェース部との間の情報伝送を可能にする、
ことを特徴とする請求項２４に記載のプログラム。
【請求項３０】
請求項２４〜２９のいずれか１項に記載のプログラムを記録したコンピュータ読取り可能な記録媒体。
【発明の詳細な説明】
【技術分野】
【０００１】
本発明は、端末をネットワークに接続するためのネットワーク接続装置、ネットワーク接続システム、ネットワーク接続方法、プログラムおよび記録媒体に関する。
【背景技術】
【０００２】
従来から、端末のユーザの認証を行い、その認証結果に応じてネットワークへのログインを許可するシステムが存在する。例えば、オフィスなどでは複数のパーソナルコンピュータ（以下、「パソコン」という）が接続されてネットワークが構成される。このようなネットワークにログインするために、ユーザはパソコンのキーボードからユーザのＩＤとパスワードを入力する。そして、入力されたＩＤおよびパスワードが、ネットワークを管理するサーバにより正しく認証された場合に、ネットワークにログイン可能となる。
【０００３】
上記したような一般的なログインシステムでは、キーボードへの入力を記録するソフトウェアをパソコンに不正にインストールすれば、他人が入力したパスワードを記録することが可能である。そして、記録したパスワードを用いて、権限のない第三者がネットワークにログインすることができる。この問題を解決し、セキュリティを向上したネットワークログインシステムが、特許文献１に提案されている。
【０００４】
特許文献１に記載されたネットワークログインシステムは、携帯電話機接続用の端子部を設けたパソコンを備える。そして、ログインの際にパソコンの端子部に携帯電話機を接続し、携帯電話機から自端末の番号などの情報を送信する。パソコンは、携帯電話機から受信した情報を用いてネットワークへのログイン処理を行う。
【特許文献１】特開２００２−１７５２８１号公報（第３頁、図１）
【発明の開示】
【発明が解決しようとする課題】
【０００５】
しかし、特許文献１に開示されたネットワークログインシステムは、据置き型のパソコンを想定したシステムである。据置き型のパソコンより小さいノート型パソコンでは、携帯電話機接続用の端子部を設けることが困難であり、上記したようなログインシステムの実現は難しい。
【０００６】
また、上記ネットワークログインシステムでは、認証のための情報が携帯電話機からパソコンに送信される。従って、パソコンにデータ収集機能を持つソフトウェアをインストールすることにより、携帯電話機から送信された認証情報が盗まれる可能性があった。
【０００７】
さらに、上記ネットワークログインシステムでは、パソコンでネットワークへの接続可否を判定している。従って、パソコンを一旦ネットワークに接続した後で別のパソコンに取り替えることにより、別のパソコンでネットワークを使用できる可能性がある。これにより、ネットワークへのログインを許可したユーザ以外の第三者によりネットワーク上の資源を使用される可能性があった。
【０００８】
本発明は、上記した背景に鑑み、端末の種類によらずにネットワークに接続可能で、かつセキュリティを向上したネットワーク接続装置を提供することを目的とする。
【課題を解決するための手段】
【０００９】
本発明に係るネットワーク接続装置は、ネットワークに接続するためのネットワークインターフェース部と、端末と通信するための端末インターフェース部と、端末とネットワークとの接続可否の判定に用いられる端末のユーザの識別情報を入力するための識別情報入力部と、識別情報入力部から入力された識別情報に基づく判定結果に応じて、ネットワークインターフェース部と端末インターフェース部との間の情報伝送を可能にする制御部とを備える。
【００１０】
本発明によれば、ユーザの端末とは別のネットワーク接続装置にユーザの識別情報を入力し、識別情報に基づいて端末をネットワークに接続可能と判定されたときに、ネットワークインターフェース部と端末インターフェース部との間の情報伝送を可能にし、端末をネットワークに接続する。従って、ユーザの端末は識別情報を入力するためのインターフェースを有しなくてよい。これにより、ユーザの端末の種類によらないでネットワークへの接続処理を行うことが可能である。
【００１１】
また、ネットワーク接続装置は、識別情報に基づいて端末をネットワークに接続可能と判定されて初めて、ネットワークインターフェース部と端末インターフェース部との間で情報伝送が可能となる構成である。従って、ネットワークに接続可能と判定されなれければ、端末はネットワークから切り離された状態である。これにより、例えば、端末にログインパスワードを解読するソフトウェアをインストールし、その端末を用いてネットワークへのログインを試みたとしても、そもそもネットワークにアクセスできないので、不正ログインの危険を低減できる。また、識別情報はネットワーク接続装置に入力され、端末を通らないので、端末に識別情報が記録されることもなく、識別情報の盗難を防止できる。このようにして、本発明の構成により、ネットワークのセキュリティを高めることができる。
【００１２】
また、本発明は、上記ネットワーク接続装置において、前記制御部が、端末をネットワークに接続可能か否か判定する判定装置にネットワークインターフェース部を通じて識別情報を送信する識別情報送信部と、判定装置から送信される、ネットワークへの接続を許可することを示す接続許可情報をネットワークインターフェース部を通じて受信する受信部とを有する。
【００１３】
ユーザの識別情報を判定装置に送信する識別情報送信部を有することにより、端末をネットワークに接続可能か否かを判定装置にて判定することが可能である。そして、ネットワークに接続可能であることを示す接続許可情報を受信部により受信することにより、判定結果を取得できる。これにより、ネットワーク接続装置は、ネットワーク接続可否を判定する機能を有しない構成とできる。
【００１４】
また、本発明のネットワーク接続装置は、前記識別情報入力部が識別情報を記憶した携帯端末と通信するための携帯端末インターフェース部を有する。
【００１５】
この構成により、ユーザが所有する携帯端末に記憶された識別情報をネットワーク接続装置に入力できる。識別情報の入力の手間を省略でき、入力ミスもなくなるので便利である。また、ネットワーク接続装置が携帯端末インターフェース部を有するので、各ユーザの端末に携帯端末インターフェース部を設けなくてもよい。
【００１６】
また、本発明のネットワーク接続装置は、識別情報に基づくネットワーク接続可否の判定結果に関する情報を携帯端末に送信する。
【００１７】
この構成により、ネットワークへの接続履歴を携帯端末に蓄積することが可能である。
【００１８】
また、本発明のネットワーク接続装置は、前記識別情報入力部が識別情報を記憶したＩＣカードと通信するためのＩＣカードインターフェース部を有する。
【００１９】
この構成により、ユーザが所有するＩＣカードに記憶された識別情報をネットワーク接続装置に入力できる。識別情報の入力の手間を省略でき、入力ミスもなくなるので便利である。ＩＣカードとしては、例えば、契約者情報を記録したＳＩＭを用いることができる。また、ネットワーク接続装置がＩＣカードインターフェース部を有するので、ネットワークに接続する端末にＩＣカードインターフェース部を設けなくてもよい。
【００２０】
また、本発明のネットワーク接続装置は、識別情報に基づくネットワーク接続可否の判定結果に関する情報をＩＣカードに書き込む。
【００２１】
この構成により、ネットワークへの接続履歴をＩＣカードに蓄積することが可能である。
【００２２】
また、本発明は、上記のネットワーク接続装置において、前記識別情報入力部が、識別情報を入力可能でかつ端末とは異なる識別情報入力用装置と通信するための通信インターフェース部を有する。
【００２３】
この構成により、識別情報入力用装置と通信可能なネットワーク接続装置は、識別情報入力用装置から識別情報を受信可能である。従って、ネットワーク接続装置は、識別情報を実際に入力させるハードウェア（例えば、キーパッド）を省略した構成が可能である。一の識別情報入力用装置を複数のネットワーク接続装置で共有する構成を採用すれば、識別情報入力用のハードウェアのコストを低減できる。
【００２４】
また、本発明のネットワーク接続装置は、識別情報に基づくネットワーク接続可否の判定結果に関する情報を識別情報入力用装置に送信する。
【００２５】
この構成により、ネットワークへの接続履歴を識別情報入力用装置に蓄積することが可能である。
【００２６】
また、本発明は、上記ネットワーク接続装置において、前記制御部が、端末をネットワークに接続可能であるとの識別情報に基づく判定に応じて、ネットワークにログインするための情報を端末インターフェース部から送信する。
【００２７】
この構成により、ネットワーク接続装置に識別情報を入力すれば、端末において再度識別情報を入力しなくても、ユーザは端末を用いてネットワークへログイン可能となる。端末でのログイン操作を省略できるので、ユーザにとって便利である。
【００２８】
また、本発明のネットワーク接続装置は、ユーザの認証情報を入力するための認証情報入力部をさらに備え、制御部が、認証情報を入力したユーザが正当なユーザであるとの判定に応じて、ネットワークインターフェース部と端末インターフェース部との間の情報伝送を可能にする。
【００２９】
この構成によれば、端末をネットワークに接続する際に、認証情報に基づいてユーザの正当性を判定する。そして、ユーザの正当性が認証された場合に端末をネットワークに接続することにより、ネットワークのセキュリティを高めることができる。
【００３０】
また、本発明は、上記のネットワーク接続装置において、前記制御部が、ユーザ認証を行う認証装置にネットワークインターフェース部を通じて認証情報を送信する認証情報送信部と、認証装置から送信される、ネットワークへの接続を許可することを示す接続許可情報をネットワークインターフェース部を通じて受信する受信部とを有する。
【００３１】
この構成により、認証装置を用いてユーザを認証することができる。なお、判定装置と認証装置とは同一のハードウェアにより構成されてもよい。
【００３２】
また、本発明のネットワーク接続装置は、認証情報の正当性を確認するための確認用認証情報を格納した媒体から送信される確認用認証情報を受信する確認用認証情報受信部を備える。
【００３３】
これにより、ネットワーク接続装置は、確認用認証情報に基づいて認証情報入力部に入力された認証情報の正当性を判定し、ユーザ認証を行える。
【００３４】
また、本発明は、上記のネットワーク接続装置において、前記認証情報入力部が、認証情報を入力可能でかつ端末とは異なる認証情報入力用装置と通信するための通信インターフェース部を有する。
【００３５】
この構成により、認証情報入力用装置と通信可能なネットワーク接続装置は、認証情報入力用装置から認証情報を受信可能である。従って、ネットワーク接続装置は、認証情報を実際に入力させるハードウェア（例えば、キーパッド、指紋読取装置、虹彩カメラ）を省略した構成が可能である。一の認証情報入力用装置を複数のネットワーク接続装置で共有する構成を採用すれば、認証情報入力用のハードウェアのコストを低減できる。特に、認証情報が生体情報で、生体情報を入力するハードウェアが高価な場合には、このような構成が有効である。また、ユーザの携帯端末が認証情報を入力可能な場合には、携帯端末を認証情報入力用装置として用いることが可能である。
【００３６】
また、本発明のネットワーク接続装置は、認証情報に基づく認証結果に関する情報を認証情報入力用装置に送信する。
【００３７】
この構成により、ネットワークへの接続履歴を認証情報入力用装置に蓄積することが可能である。
【００３８】
また、本発明のネットワーク接続装置は、認証情報としてユーザの生体情報を用いる。
【００３９】
それぞれのユーザに固有の生体情報を認証情報として用いることにより、ネットワークのセキュリティを高めることができる。
【００４０】
また、本発明のネットワーク接続装置は、認証情報を入力したユーザが正当なユーザであるとの認証結果に応じて、ネットワークにログインするための情報を端末インターフェース部から送信する。
【００４１】
この構成により、ネットワーク接続装置に認証情報を入力すれば、端末において再度認証情報を入力しなくても、ユーザは端末を用いてネットワークにログイン可能である。端末でのログイン操作を省略できるので、ユーザにとって便利である。
【００４２】
本発明に係るネットワーク接続システムは、上記のネットワーク接続装置と、ネットワーク接続装置から送信された識別情報に基づいて、端末をネットワークに接続可能か否か判定し、接続可能と判定した場合に接続許可情報をネットワーク接続装置に送信する判定装置とを備える。
【００４３】
本発明によれば、ネットワーク接続装置の識別情報入力部より入力されたユーザの識別情報を判定装置に送信し、判定装置が端末をネットワークに接続可能か否かを判定する。そして、判定装置が接続可能と判定した場合には、ネットワーク接続装置に接続許可情報を送信し、これを受けてネットワーク接続装置は、ネットワークインターフェース部と端末インターフェース部との間の情報伝送を可能にし、端末をネットワークに接続する。すなわち、ユーザの端末とは別のネットワーク接続装置にユーザの識別情報を入力することにより、端末をネットワークに接続することができる。従って、ユーザの端末は識別情報を入力するためのインターフェースを有しなくてよい。これにより、ユーザの端末の種類によらないで、ネットワークへの接続処理を行うことが可能である。
【００４４】
また、ネットワーク接続装置は、判定装置から接続許可情報を受信して初めて、ネットワークインターフェース部と端末インターフェース部との間の情報伝送を可能にする構成である。すなわち、識別情報に基づいてネットワークに接続可能と判定されなければ、端末はネットワークから切り離された状態なので、不正ログインの危険を低減できる。また、識別情報はネットワーク接続装置に入力され、端末を通らないので、端末に識別情報が記録されることもなく、識別情報の盗難を防止できる。本発明の構成により、ネットワークのセキュリティを高めることができる。
【００４５】
本発明に係るネットワーク接続方法は、端末をネットワークに接続するためのネットワーク接続装置に端末のユーザの識別情報を入力する識別情報入力ステップと、端末をネットワークに接続可能か否か識別情報に基づいて判定する判定ステップと、端末をネットワークに接続可能との判定に応じて、ネットワークに接続するためのネットワークインターフェース部と、端末と通信するための端末インターフェース部との間の情報伝送を可能にする接続制御ステップとを有する。
【００４６】
本発明によれば、ユーザの端末とは別のネットワーク接続装置にユーザの識別情報を入力し、識別情報に基づいて、端末をネットワークに接続可能と判定されたときに、ネットワークインターフェース部と端末インターフェース部との間の情報伝送を可能にし、端末をネットワークに接続する。従って、ユーザの端末は識別情報を入力するためのインターフェースを有しなくてよい。これにより、ユーザの端末の種類によらないでネットワークへの接続処理を行うことが可能である。
【００４７】
また、本発明によれば、識別情報に基づいてネットワークに接続可能と判定されて初めて、ネットワークインターフェース部と端末インターフェース部との間の情報伝送が可能になる。従って、ネットワークに接続可能と判定されなれければ、端末はネットワークから切り離された状態である。これにより、例えば、端末にログインパスワードを解読するソフトウェアをインストールし、その端末を用いてネットワークへのログインを試みたとしても、そもそもネットワークにアクセスできないので、不正ログインの危険を低減できる。また、識別情報はネットワーク接続装置に入力され、端末を通らないので、端末に識別情報が記録されることもなく、識別情報の盗難を防止できる。本発明の構成により、ネットワークのセキュリティを高めることができる。
【００４８】
また、本発明のネットワーク接続方法は、識別情報入力ステップにおいて、ネットワーク接続装置が携帯端末に記憶された識別情報を当該携帯端末から受信する。
【００４９】
これにより、ユーザが所有する携帯端末に記憶された識別情報を用いてネットワーク接続を行える。識別情報の入力の手間を省略でき、入力ミスもなくなるので便利である。
【００５０】
また、本発明のネットワーク接続方法は、識別情報入力ステップにおいて、ネットワーク接続装置がＩＣカードに記憶された識別情報を読み取る。
【００５１】
これにより、ユーザが所有するＩＣカードに記憶された識別情報を用いてネットワーク接続を行える。識別情報の入力の手間を省略でき、入力ミスもなくなるので便利である。ＩＣカードとしては、例えば、契約者情報を記録したＳＩＭを用いることができる。
【００５２】
また、本発明のネットワーク接続方法は、識別情報入力ステップにおいて、端末とは異なる識別情報入力用装置に入力された識別情報をネットワーク接続装置が当該識別情報入力用装置から受信する。
【００５３】
これにより、識別情報入力用装置に入力された識別情報を用いて端末のネットワーク接続を行える。従って、ネットワーク接続装置は、識別情報を実際に入力させるハードウェア（例えば、キーパッド）を省略した構成が可能である。
【００５４】
また、本発明のネットワーク接続方法は、端末をネットワークに接続可能であるとの識別情報に基づく判定に応じて、ネットワークにログインするための情報を端末に送信するステップを有する。
【００５５】
これにより、ネットワーク接続装置に識別情報を入力すれば、端末において再度識別情報を入力しなくても、ユーザは端末を用いてネットワークにログイン可能である。端末でのログイン操作を省略できるので、ユーザにとって便利である。
【００５６】
また、本発明のネットワーク接続方法は、ネットワーク接続装置にユーザの認証情報を入力する認証情報入力ステップと、認証情報に基づいてユーザの認証を行うユーザ認証ステップとを有し、接続制御ステップでは、認証情報を入力したユーザが正当なユーザであるとの判定に応じて、ネットワークインターフェース部と端末インターフェース部との間の情報伝送を可能にする。
【００５７】
この方法によれば、端末をネットワークに接続する際に、認証情報に基づいてユーザの正当性を判定する。そして、ユーザの正当性が認証された場合に端末をネットワークに接続することにより、ネットワークのセキュリティを高めることができる。
【００５８】
本発明のプログラムは、ネットワークに接続するためのネットワークインターフェース部および端末と通信するための端末インターフェース部を有するコンピュータにより、端末をネットワークに接続させるためのプログラムであって、端末のユーザの識別情報を入力させる識別情報入力ステップと、端末をネットワークに接続可能か否か識別情報に基づいて判定する判定ステップと、端末をネットワークに接続可能との判定に応じて、ネットワークインターフェース部と端末インターフェース部との間の情報伝送を可能にする接続制御ステップとをコンピュータに実行させる。
【００５９】
本発明のプログラムを実行させることにより、ユーザの端末とは別のコンピュータにユーザの識別情報を入力し、識別情報に基づいて端末をネットワークに接続可能と判定されたときに、ネットワークインターフェース部と端末インターフェース部との間の情報伝送を可能にし、端末をネットワークに接続する。従って、ユーザの端末は識別情報を入力するためのインターフェースを有しなくてよい。これにより、ユーザの端末の種類によらないでネットワークへの接続処理を行うことが可能である。
【００６０】
また、識別情報に基づいて端末をネットワークに接続可能と判定されて初めて、ネットワークインターフェース部と端末インターフェース部との間の情報伝送が可能となる。従って、ネットワークに接続可能と判定されなれければ、端末はネットワークから切り離された状態である。これにより、例えば、端末にログインパスワードを解読するソフトウェアをインストールし、その端末を用いてネットワークへのログインを試みたとしても、そもそもネットワークにアクセスできないので、不正ログインの危険を低減できる。また、識別情報はネットワーク接続装置に入力され、端末を通らないので、端末に識別情報が記録されることもなく、識別情報の盗難を防止できる。本発明の構成により、ネットワークのセキュリティを高めることができる。
【００６１】
また、本発明のプログラムは、識別情報入力ステップにおいて、携帯端末に記憶された識別情報を当該携帯端末からコンピュータに受信させる。
【００６２】
これにより、ユーザが所有する携帯端末に記憶された識別情報を用いてネットワーク接続を行える。識別情報の入力の手間を省略でき、入力ミスもなくなるので便利である。
【００６３】
また、本発明のプログラムは、識別情報入力ステップにおいて、ＩＣカードに記憶された識別情報をコンピュータに読み取らせる。
【００６４】
これにより、ユーザが所有するＩＣカードに記憶された識別情報を用いてネットワーク接続を行える。識別情報の入力の手間を省略でき、入力ミスもなくなるので便利である。ＩＣカードとしては、例えば、契約者情報を記録したＳＩＭを用いることができる。
【００６５】
また、本発明のプログラムは、識別情報入力ステップにおいて、識別情報を入力可能でかつ端末とは異なる識別情報入力用装置から送信される識別情報をコンピュータに受信させる。
【００６６】
これにより、コンピュータは、識別情報入力用装置に入力された識別情報を用いてネットワーク接続を行える。従って、コンピュータは識別情報を実際に入力させるハードウェア（例えば、キーパッド）を有しなくてもよい。
【００６７】
また、本発明のプログラムは、端末をネットワークに接続可能であるとの識別情報に基づく判定に応じて、ネットワークにログインするための情報を端末インターフェース部から送信するステップをコンピュータに実行させる。
【００６８】
これにより、コンピュータに識別情報を入力すれば、端末において再度識別情報を入力しなくても、ユーザは端末を用いてネットワークにログイン可能である。端末でのログイン操作を省略できるので、ユーザにとって便利である。
【００６９】
また、本発明のプログラムは、ユーザの認証情報を入力させる認証情報入力ステップと、認証情報に基づいてユーザの認証を行うユーザ認証ステップとを有し、接続制御ステップでは、認証情報を入力したユーザが正当なユーザであるとの判定に応じて、ネットワークインターフェース部と端末インターフェース部との間の情報伝送を可能にする。
【００７０】
このプログラムによれば、コンピュータは、端末をネットワークに接続する際に、認証情報に基づいてユーザの正当性を判定する。そして、ユーザの正当性が認証された場合に端末をネットワークに接続することにより、ネットワークのセキュリティを高めることができる。
【００７１】
本発明の記録媒体は、上記のプログラムを記録したコンピュータ読取り可能な記録媒体である。
【００７２】
この記録媒体をコンピュータに読み取らせてプログラムを実行することにより、上記プログラムと同様に、ユーザの端末の種類によらないでネットワークへの接続処理を行うことが可能で、かつネットワークのセキュリティを高めることができる。
【発明の効果】
【００７３】
本発明は、端末をネットワークに接続するためのネットワーク接続装置を有し、ネットワーク接続装置の識別情報入力部に識別情報を入力することによりネットワークへの接続を行えるので、ユーザの端末の種類によらないでネットワークへの接続処理を行うことできるというすぐれた効果を有するものである。また、ネットワークに接続可能と判定されて初めてネットワークインターフェース部と端末インターフェース部との間の情報伝送を可能とする構成により、ネットワークのセキュリティを高めることができるというすぐれた効果を有するネットワーク接続システムを提供するものである。
【発明を実施するための最良の形態】
【００７４】
以下、本発明の実施の形態に係るネットワーク接続システムについて図面を参照しながら説明する。可能な場合には、同一の部分には同一の符号を付して重複する説明を省略する。
【００７５】
（第１の実施の形態）
図１は、第１の実施の形態に係るネットワーク接続システム１０を含むネットワーク２０の構成を示す図である。図１に示すように、ネットワーク２０には、ネットワーク２０を管理するネットワークサーバ１２と、ユーザの識別情報に基づいて端末２２をネットワーク２０に接続可能か否か判定する判定装置１４がネットワークケーブル１８によって接続されている。また、ネットワーク２０には、ネットワーク２０に端末２２を接続するためのネットワーク接続装置３０が接続されている。ここで、ネットワーク接続システム１０は、判定装置１４とネットワーク接続装置３０により構成される。
【００７６】
また、ネットワーク２０には、ネットワークケーブル１８に常時接続された端末１６が含まれている。この端末１６の一例は、顧客情報や人事情報などを管理するデータベースを有する端末である。ネットワーク接続システム１０は、例えば、端末１６のようなネットワーク２０上の資源へ権限のない第三者がアクセスできないように制限する役割を有している。
【００７７】
判定装置１４は、ネットワーク接続装置３０から送信されるユーザの識別情報に基づいて、端末２２をネットワーク２０に接続可能か否かを判定する機能を有する。また、判定装置１４は、ネットワーク２０に接続可能と判定した場合に、ネットワーク２０への接続許可を示す接続許可情報をネットワーク接続装置３０に送信する機能を有する。
【００７８】
図２は、ネットワーク接続装置３０を示している。ネットワーク接続装置３０は、端末２２のケーブル２４を接続する端末コネクタ部３２と、識別情報を入力するための識別情報入力部３４と、ネットワークケーブル１８を接続するネットワークコネクタ部３６とを有する。端末コネクタ部３２が端末インターフェース部を構成し、ネットワークコネクタ部３６がネットワークインターフェース部を構成する。
【００７９】
端末コネクタ部３２は、一般的な接続インターフェースを有する。例えば、ＵＳＢケーブルを受け入れ可能なコネクタである。これにより、図１に示すように、ネットワーク接続装置３０には、据置き型のパソコン、ノート型のパソコンを接続可能である。また、ネットワーク接続装置３０に、パソコン以外の端末２２を接続することも可能である。
【００８０】
ネットワークコネクタ部３６は、一旦接続されたネットワークケーブル１８を分離できない構成であることが好ましい。これにより、ネットワーク接続装置３０の代替装置を用いてネットワーク２０に接続することを防止できる。また、ネットワークコネクタ部３６がネットワークケーブル１８を着脱可能な場合には、ネットワークコネクタ部３６はネットワーク接続装置３０専用のネットワークケーブル１８を受け入れる構成とすることが好ましい。ネットワークコネクタ部３６が専用の接続インターフェースを有することにより、ネットワーク接続装置３０を他の装置に置き換えることが困難となる。ネットワークコネクタ部３６を以上のように構成することにより、ネットワーク２０に接続するために、端末２２とネットワーク２０の間にネットワーク接続装置３０を介在させることが必要となる。これにより、ネットワーク２０のセキュリティを高めることができる。
【００８１】
識別情報入力部３４は、ユーザの識別情報を入力させる機能を有する。識別情報入力部３４を構成するハードウェアは、例えば、テンキーである。この場合、所定の桁数の数字からなるユーザＩＤを識別情報として入力可能である。
【００８２】
図３は、ネットワーク接続装置３０の機能を示すブロック図である。ネットワーク接続装置３０は、ネットワークコネクタ部３６と端末コネクタ部３２との間の情報伝送を可能にするか否かを制御する制御部４２を有する。
【００８３】
制御部４２は、識別情報を判定装置１４に送信する識別情報送信部３８と、ネットワーク２０への接続許可を示す接続許可情報を受信する受信部４０とを有する。識別情報送信部３８および受信部４０によって、端末２２をネットワーク２０に接続可能か否かを判定装置１４に判定させることができる。
【００８４】
図４は、本発明の実施の形態のネットワーク接続システム１０によるネットワーク接続の動作を示すフローチャートである。まず、ネットワーク接続装置３０の端末コネクタ部３２に端末２２のケーブル２４を接続する（Ｓ１０）。これにより、ネットワーク接続装置３０と端末２２とは物理的に接続された状態となる。この段階では、ネットワーク接続装置３０のネットワークコネクタ部３６と端末コネクタ部３２との間の情報伝送が不可能な状態である。すなわち、ネットワーク２０から受信した情報は端末コネクタ部３２に伝送されず、また、端末コネクタ部３２が受信した情報はネットワークコネクタ部３６に伝送されない。端末２２が、ネットワーク２０から切り離された状態である。
【００８５】
なお、ここでネットワーク２０への接続に用いられる端末２２は、据置き型のパソコンでもノート型のパソコンでもよい。また、端末２２はパソコンに限られず、例えば、通信機能を有するＰＤＡでもよい。
【００８６】
次に、ネットワーク接続装置３０の識別情報入力部３４にユーザの識別情報を入力する（Ｓ１２）。例えば、ユーザを識別するためのＩＤを入力する。ネットワーク接続装置３０は、入力された識別情報を判定装置１４に送信する（Ｓ１４）。
【００８７】
判定装置１４は、ネットワーク接続装置３０から送信された識別情報を受信すると（Ｓ１６）、識別情報に基づいてそのユーザの端末２２をネットワーク２０に接続可能か否かを判定する（Ｓ１８）。判定装置１４は、例えば次のようにして、ネットワーク２０への接続可否を判定することができる。判定装置１４は、ネットワーク２０に接続可能なユーザの識別情報のリストをあらかじめ格納しておく。そして、ネットワーク接続装置３０から受信した識別情報のユーザをリストから検索し、検索できた場合にネットワーク２０に接続可能と判定する。
【００８８】
判定装置１４は、端末２２をネットワーク２０に接続可能と判定した場合には、接続許可情報をネットワーク接続装置３０に送信する（Ｓ２０）。ネットワーク２０に接続不可能と判定した場合には接続許可情報を送信せず、ネットワーク２０への接続のフローは終了する。なお、判定装置１４は、ネットワーク２０に接続不可能な場合に、ネットワーク２０への接続不許可を示す情報を送信してもよい。
【００８９】
ネットワーク接続装置３０は、判定装置１４から接続許可情報を受信すると（Ｓ２２）、制御部４２によりネットワークコネクタ部３６と端末コネクタ部３２との間の情報伝送を可能する。すなわち、端末コネクタ部３２により受信した情報をネットワークコネクタ部３６に伝送し、ネットワークコネクタ部３６からネットワーク２０に送信する。また、ネットワークコネクタ部３６により受信した情報を端末コネクタ部３２に伝送し、端末コネクタ部３２から端末２２に送信する。このようにネットワークコネクタ部３６と端末コネクタ部３２との間の情報伝送を可能とすることにより、ネットワーク接続装置３０は、端末２２をネットワーク２０に接続する（Ｓ２４）。以上、第１の実施の形態に係るネットワーク接続システム１０によるネットワーク２０への接続動作について説明した。
【００９０】
第１の実施の形態に係るネットワーク接続システム１０は、ネットワーク接続装置３０に識別情報を入力し、入力された識別情報に基づいて端末２２をネットワーク２０に接続可能か否かを判定する。ネットワーク２０に接続可能と判定された場合に、ネットワーク接続装置３０は、ネットワークコネクタ部３６と端末コネクタ部３２との間の情報伝送を可能にし、端末２２をネットワーク２０に接続する。従って、ネットワーク接続のための専用のインターフェースを端末２２に設けなくてもネットワーク２０への接続が可能である。すなわち、端末２２の種類によらず、端末２２をネットワーク２０に接続することができるネットワーク接続システム１０を実現できる。また、端末２２に専用のインターフェースを必要としないので、システム導入時の設定やメンテナンスの必要がない。
【００９１】
また、第１の実施の形態に係るネットワーク接続システム１０は、ネットワーク２０に接続可能と判定されて初めて、ネットワークコネクタ部３６と端末コネクタ部３２との間の情報伝送を可能とする構成である。すなわち、端末２０をネットワーク２０に接続可能と判定されなければ、端末２２はネットワーク２０から切り離された状態であり、端末２２はネットワーク２０に一切アクセスできない。従って、例えば、端末にパスワードを解読するソフトウェアをインストールし、その端末を用いてネットワーク２０へのログインを試みたとしても、ネットワーク接続装置３０で情報が遮断されるので、ネットワーク２０にログインすることはできない。このようにして、本発明の構成により、ネットワーク２０のセキュリティを高めることができる。これにより、それぞれのユーザが使用する端末２２にどのようなソフトウェアがインストールされているかチェックする必要がないという利点もある。
【００９２】
また、識別情報が端末２２に送信されないので、端末２２に識別情報を記録されることもなく、認証情報の盗難を防止できる。
【００９３】
次に、第１の実施の形態の変形例に係るネットワーク接続システム１０について説明する。変形例に係るネットワーク接続システム１０は、第１の実施の形態に係るネットワーク接続システム１０と基本的な構成は同じであるが、ネットワーク接続装置３０が認証情報を入力可能な点が異なっている。ここでは、認証情報としてパスワードを用いる例について説明する。
【００９４】
図５は、変形例に係るネットワーク接続装置３０を示す図である。変形例に係るネットワーク接続装置３０は、認証情報を入力するための認証情報入力部４４を備える。なお、識別情報入力部３４と認証情報入力部４４は、同じハードウェアにより構成されてもよい。また、制御部４２は、認証情報を判定装置１４に送信する認証情報送信部４６を有する。
【００９５】
また、変形例に係るネットワーク接続システム１０では、判定装置１４は、ネットワーク接続装置３０から送信される識別情報および認証情報に基づいて、ネットワーク２０に接続可能か否かを判定する機能を有する。
【００９６】
図６は、変形例に係るネットワーク接続システム１０によるネットワーク接続の動作を示すフローチャートである。まず、ネットワーク接続装置３０の端末コネクタ部３２に端末２２のケーブル２４を接続する（Ｓ１０）。次に、ネットワーク接続装置３０に、ユーザの識別情報および認証情報を入力する（Ｓ１２）。ここでは、識別情報としてユーザのＩＤを入力し、認証情報としてパスワードを入力する。ネットワーク接続装置３０は、入力された識別情報および認証情報を判定装置１４に送信する（Ｓ１４）。
【００９７】
判定装置１４は、ネットワーク接続装置３０から送信された識別情報および認証情報を受信すると（Ｓ１６）、識別情報および認証情報に基づいてそのユーザの端末２２をネットワーク２０に接続可能か否か判定する（Ｓ１８）。まず、識別情報に基づいてそのユーザの端末２２をネットワーク２０に接続可能か否かを判定する。すなわち、ネットワーク２０に接続可能なユーザとしてあらかじめ登録されたユーザであるか否か、識別情報に基づいて判定する。続いて、認証情報に基づいてユーザが正当なユーザであるか否かの認証を行う。ここでは、認証情報として送信されたパスワードがあらかじめ登録されたパスワードと一致するか否かにより判定する。判定装置１４は、受信した識別情報があらかじめ登録された識別情報と一致し、かつ認証情報があらかじめ登録された認証情報と一致する場合に、端末２２をネットワーク２０に接続可能と判定する。
【００９８】
判定装置１４は、端末２２をネットワーク２０に接続可能と判定した場合には、接続許可情報をネットワーク接続装置３０に送信する（Ｓ２０）。ネットワーク２０に接続不可能と判定した場合には、判定装置１４は接続許可情報を送信せず、ネットワーク２０への接続のフローは終了する。
【００９９】
ネットワーク接続装置３０は、判定装置１４から送信された接続許可情報を受信すると（Ｓ２２）、制御部４２によりネットワークコネクタ部３６と端末コネクタ部３２との間の情報伝送を可能にし、端末２２をネットワーク２０に接続する（Ｓ２４）。
【０１００】
変形例に係るネットワーク接続システム１０では、端末２２をネットワーク２０に接続する際に、ユーザにより入力された認証情報に基づいてユーザの正当性を確認することにより、ネットワーク２０のセキュリティをさらに高めることができる。
【０１０１】
また、第１の実施の形態と同様に、端末２２の種類によらず、端末２２をネットワーク２０に接続することができるネットワーク接続システム１０を実現できる。
【０１０２】
なお、本変形例では、判定装置１４がユーザ認証の機能を有し、判定装置１４によりユーザを認証することとしたが、判定装置１４とは別に認証装置を設けることとしてもよい。また、ネットワーク接続装置３０によって、ユーザ認証を行ってもよい。
【０１０３】
また、本変形例では、認証情報としてパスワードを用いた例について説明したが、パスワード以外の認証情報を用いることもできる。例えば、ユーザの指紋、声紋、虹彩の生体情報を認証情報として用いることが可能である。
【０１０４】
第１の実施の形態の他の変形例として、ネットワーク２０に接続可能と判定された場合に、ネットワーク２０にログインするための情報を端末２２に送信することとしてもよい。これにより、端末２２での識別情報の入力を省略してネットワーク２０にログインすることができるので、ユーザにとって便利である。
【０１０５】
（第２の実施の形態）
次に、本発明の第２の実施の形態に係るネットワーク接続システム１０について説明する。第２の実施の形態に係るネットワーク接続システム１０は、第１の実施の形態に係るネットワーク接続システム１０と基本的な構成は同じであるが、携帯電話機５０を用いてネットワーク接続装置３０に識別情報および認証情報を入力する構成を採用している点が異なる。以下では、認証情報としてパスワードを用いた例について説明する。
【０１０６】
図７は、第２の実施の形態でのネットワーク接続装置３０を示す図である。第２の実施の形態では、ネットワーク接続装置３０は、携帯電話機５０を接続する接続端子４８を有する。この接続端子４８により、ネットワーク接続装置３０は携帯電話機５０と通信可能であり、携帯電話機５０から識別情報および認証情報を受信可能である。
【０１０７】
携帯電話機５０は、接続端子４８を通じてネットワーク接続装置３０と通信可能なインターフェースを有する。また、携帯電話機５０は、ユーザの識別情報を格納している。識別情報としては、例えば、携帯電話機５０の電話番号を用いることが可能である。また、携帯電話機５０は、キーパッドなどの入力手段５２を有している。この入力手段５２により、認証情報を入力可能である。なお、ネットワーク接続装置３０の接続端子４８によって、識別情報入力部が構成される。
【０１０８】
図８は、第２の実施の形態に係るネットワーク接続装置３０の機能を示すブロック図である。図８に示すように、ネットワークコネクタ部３６と端末コネクタ部３２との間の情報伝送を可能にするか否かを制御する制御部４２を有する。
【０１０９】
制御部４２は、識別情報を判定装置１４に送信する識別情報送信部３８と、認証情報を判定装置１４に送信する認証情報送信部４６と、ネットワーク２０への接続許可を示す接続許可情報を受信する受信部４０とを有している。
【０１１０】
識別情報送信部３８は、接続端子４８を通じて携帯電話機５０から受信した識別情報を判定装置１４に送信する機能を有する。また、認証情報送信部４６は、接続端子４８を通じて携帯電話機５０から受信した認証情報を判定装置１４に送信する機能を有する。
【０１１１】
図９は、第２の実施の形態のネットワーク接続システム１０によるネットワーク接続の流れを示すフローチャートである。まず、ネットワーク接続装置３０の端末コネクタ部３２に端末２２のケーブル２４を接続する（Ｓ３０）。次に、ネットワーク接続装置３０の接続端子４８に携帯電話機５０を接続する（Ｓ３２）。携帯電話機５０は、接続端子４８に接続されると、内部に格納したユーザの識別情報を自動的にネットワーク接続装置３０に送信する（Ｓ３４）。ネットワーク接続装置３０は、携帯電話機５０から送信された識別情報を受信する（Ｓ３６）。
【０１１２】
次に、携帯電話機５０は、ユーザに認証情報としてパスワードを入力させ、入力された認証情報をネットワーク接続装置３０に送信する（Ｓ３８）。ネットワーク接続装置３０は、携帯電話機５０から送信された認証情報を受信する（Ｓ４０）。
【０１１３】
続いて、ネットワーク接続装置３０は、携帯電話機５０から送信された識別情報および認証情報を判定装置１４に送信する（Ｓ４２）。判定装置１４は、ネットワーク接続装置３０から送信された識別情報および認証情報を受信すると（Ｓ４４）、識別情報および認証情報に基づいてそのユーザの端末２２をネットワーク２０に接続可能か否かを判定する（Ｓ４６）。ここで、識別情報および認証情報に基づくネットワーク接続可否の判定方法は、第１の実施の形態の変形例に係るネットワーク接続システム１０の場合と同様である。
【０１１４】
判定装置１４は、端末２２をネットワーク２０に接続可能と判定した場合には、接続許可情報をネットワーク接続装置３０に送信する（Ｓ４８）。ネットワーク２０に接続不可能と判定した場合には、判定装置１４は接続許可情報を送信せず、ネットワーク２０への接続のフローは終了する。
【０１１５】
ネットワーク接続装置３０は、判定装置１４から送信された接続許可情報を受信すると（Ｓ５０）、制御部４２によりネットワークコネクタ部３６と端末コネクタ部３２との間の情報伝送を可能にし、端末２２をネットワーク２０に接続する（Ｓ５２）。
【０１１６】
なお、ネットワーク接続装置３０が、判定装置１４から送信された接続許可情報を接続端子４８を通じて携帯電話機５０に送信してもよい。携帯電話機５０は、ネットワーク接続装置３０から送信された接続許可情報を格納することにより、ネットワーク２０への接続履歴を管理することができる。以上、第２の実施の形態に係るネットワーク接続システム１０によるネットワーク２０への接続動作について説明した。
【０１１７】
第２の実施の形態に係るネットワーク接続システム１０では、携帯電話機５０をネットワーク接続装置３０の接続端子４８に接続するだけで、携帯電話機５０に記憶された識別情報がネットワーク接続装置３０に転送されるので、識別情報を入力する手間が省け、ユーザにとって便利である。
【０１１８】
また、携帯電話機５０から入力されたパスワードを認証し、入力されたパスワードが正しく認証された場合に端末２２をネットワーク２０に接続する。これにより、ネットワーク２０のセキュリティをさらに向上可能である。
【０１１９】
また、第１の実施の形態と同様に、端末２２の種類によらず、端末２２をネットワーク２０に接続することができるネットワーク接続システム１０を実現できる。また、ネットワーク２０に接続可能と判定されて初めて、ネットワークコネクタ部３６と端末インターフェース部３２との間の情報伝送を可能とする構成により、ネットワーク２０のセキュリティを高めることができる。
【０１２０】
また、第１の実施の形態と同様に、ユーザの端末２２とは別のネットワーク接続装置３０に識別情報を入力し、ネットワーク２０への接続可否を判定するので、端末２２での設定やメンテナンスの必要がない。また、ネットワーク２０の管理者が、ユーザ端末２２にインストールされたソフトウェアをチェックする必要もないという利点もある。
【０１２１】
なお、上記の実施の形態では、認証情報としてパスワードを用いたが、パスワード以外の認証情報を用いることも可能である。例えば、指紋、声紋または虹彩といったユーザの生体情報を認証情報として用いてもよい。この場合には、携帯電話機５０は、認証に必要な生体情報を読み取るデバイスを備える。認証情報としてユーザに固有の生体情報を用いることにより、さらにセキュリティを向上可能である。
【０１２２】
また、上記の実施の形態では、携帯電話機５０によって認証情報を入力させ、ユーザの認証を行っているが、必ずしもユーザ認証は必要ではない。携帯電話機５０からの識別情報のみにより、ユーザの端末２２をネットワーク２０に接続可能か否か判定してもよい。
【０１２３】
また、上記の実施の形態では、ネットワーク接続装置３０は、接続端子４８により携帯電話機５０と通信することとしたが、他の方法により携帯電話機５０と通信してもよい。例えば、携帯電話用の電波を用いる方法、または赤外線通信による方法によって、携帯電話機５０とネットワーク接続装置３０との通信を行ってもよい。
【０１２４】
また、上記の実施の形態では、携帯電話機５０を携帯端末の例として取り上げて説明したが、携帯端末は携帯電話機に限られない。例えば、電子手帳などの携帯情報端末によって識別情報や認証情報を入力してもよい。
【０１２５】
第２の実施の形態の変形例として、ネットワーク２０に接続可能と判定された場合に、ネットワーク２０にログインするための情報を端末２２に送信することとしてもよい。これにより、端末２２での識別情報の入力を省略してネットワーク２０にログインすることができるので、ユーザにとって便利である。
【０１２６】
（第３の実施の形態）
次に、本発明の第３の実施の形態に係るネットワーク接続システム１０について説明する。第３の実施の形態に係るネットワーク接続システム１０は、第１の実施の形態に係るネットワーク接続システム１０と基本的な構成は同じであるが、ＩＣカード５８を用いてネットワーク接続装置３０に識別情報を入力する構成を採用している点が異なる。
【０１２７】
図１０は、第３の実施の形態でのネットワーク接続装置３０を示す図である。第３の実施の形態では、ネットワーク接続装置３０は、ＩＣカード５８とのインターフェースであるＩＣカードリーダライタ５４を有する。また、ネットワーク接続装置３０は、認証情報を入力するための認証情報入力部５６を有する。認証情報入力部５６は、入力される認証情報の種類に応じたハードウェアにより構成される。例えば認証情報がパスワードである場合には認証情報入力部５６はキーパッドであり、認証情報が指紋である場合には認証情報入力部５６は指紋読取装置である。
【０１２８】
本発明の実施の形態で用いられるＩＣカード５８には、ユーザの識別情報が格納されている。このようなＩＣカード５８の例としては、契約者情報を記録したＳＩＭがある。また、ＩＣカード５８には、認証情報の正当性を確認するための確認用の認証情報が格納されている。確認用の認証情報は、正当なユーザによってあらかじめ登録された認証情報である。この確認用認証情報と入力された認証情報を照合することにより、認証情報を入力したユーザが正当なユーザであるか否かを判定することが可能である。認証情報としては、パスワード、指紋、声紋、虹彩などを用いることができる。ＩＣカードは改ざんが困難でセキュリティが高いので、確認用の認証情報を格納しておくのに好適である。
【０１２９】
図１１は、第３の実施の形態に係るネットワーク接続装置３０の機能を示すブロック図である。図１１に示すように、ネットワーク接続装置３０は、ネットワークコネクタ部３６と端末コネクタ部３２との間の情報伝送を可能にするか否かを制御する制御部４２を有する。
【０１３０】
制御部４２は、識別情報を判定装置１４に送信する識別情報送信部３８と、ネットワーク２０への接続許可を示す接続許可情報を受信する受信部４０と、ユーザを認証するためのユーザ認証部６０を有している。
【０１３１】
ユーザ認証部６０は、認証情報入力部５６に入力された認証情報と、ＩＣカードリーダライタ５４から読み取った確認用の認証情報を受け取る。そして、ユーザ認証部６０は、認証情報入力部５６から入力された認証情報と、ＩＣカードリーダライタ５４によりＩＣカード５８から読み取った確認用の認証情報とに基づいて、ユーザを認証する機能を有する。具体的には、認証情報入力部５６から入力された認証情報とＩＣカードリーダライタ５４から読み取った確認用の認証情報とを照合し、両者が一致する場合に、認証情報を入力したユーザが正当なユーザであると判定する。
【０１３２】
識別情報送信部３８は、ＩＣカードリーダライタ５４により読み取った識別情報を判定装置１４に送信する機能を有する。
【０１３３】
図１２は、第３の実施の形態のネットワーク接続システム１０によるネットワーク接続の流れを示すフローチャートである。まず、ネットワーク接続装置３０の端末コネクタ部３２に端末２２のケーブル２４を接続する（Ｓ６０）。次に、ネットワーク接続装置３０のＩＣカードリーダライタ５４にＩＣカード５８を挿入する（Ｓ６２）。ネットワーク接続装置３０は、ＩＣカード５８に記憶された識別情報および確認用認証情報をＩＣカードリーダライタ５４により読み出す（Ｓ６４）。
【０１３４】
次に、ネットワーク接続装置３０は、ユーザに認証情報を入力させる（Ｓ６６）。入力された認証情報は、認証情報入力部５６からユーザ認証部６０に受け渡される。ネットワーク接続装置３０は、ＩＣカード５８から読み出された確認認証情報と認証情報入力部５６から入力された認証情報とを照合し、ユーザの認証を行う（Ｓ６８）。ユーザ認証部６０によるユーザ認証の結果、認証情報を入力したユーザの正当性が認証された場合には、ネットワーク接続装置３０は、ＩＣカード５８から読み出した識別情報を識別情報送信部３８によって判定装置１４に送信する（Ｓ７０）。なお、ユーザの正当性が認証されなかった場合には、ネットワーク２０への接続のフローは終了する。
【０１３５】
判定装置１４は、ネットワーク接続装置３０から送信された識別情報を受信すると（Ｓ７２）、受信した識別情報に基づいてそのユーザの端末２２をネットワーク２０に接続可能か否かを判定する（Ｓ７４）。
【０１３６】
判定装置１４は、端末２２をネットワーク２０に接続可能と判定した場合に、接続許可情報をネットワーク接続装置３０に送信する（Ｓ７６）。ネットワーク２０に接続不可能と判定した場合には、判定装置１４は接続許可情報を送信せず、ネットワーク２０への接続のフローは終了する。
【０１３７】
ネットワーク接続装置３０は、判定装置１４から送信された接続許可情報を受信すると（Ｓ７８）、制御部４２によりネットワークコネクタ部３６と端末コネクタ部３２との間の情報伝送を可能にし、端末２２をネットワーク２０に接続する（Ｓ８０）。
【０１３８】
なお、ネットワーク接続装置３０が、ユーザ認証部６０による認証結果または判定装置１４から送信された接続許可情報をＩＣカード５８に書き込んでもよい。これにより、各ユーザがＩＣカード５８によりネットワーク２０への接続履歴を管理できる。以上、第３の実施の形態に係るネットワーク接続システム１０によるネットワーク２０への接続動作について説明した。
【０１３９】
第３の実施の形態に係るネットワーク接続システム１０は、ネットワーク接続装置３０がＩＣカード５８に記憶された識別情報を読み出す。これにより、識別情報を入力する手間が省け、ユーザにとって便利である。
【０１４０】
第３の実施の形態に係るネットワーク接続システム１０では、ＩＣカード５８に確認用の認証情報を格納し、ネットワーク接続装置３０に入力された認証情報とＩＣカード５８から読み出した確認用認証情報とによりユーザを認証する。これにより、ネットワーク接続装置３０によってユーザ認証を行える。
【０１４１】
また、第１の実施の形態と同様に、端末２２の種類によらず、端末２２をネットワーク２０に接続することができるネットワーク接続システム１０を実現できる。また、ネットワーク２０に接続可能と判定されて初めて、ネットワークコネクタ部３６と端末コネクタ部３２の間の情報伝送を可能とする構成により、ネットワーク２０のセキュリティを高めることができる。
【０１４２】
また、第１の実施の形態と同様に、ユーザの端末２２とは異なるネットワーク接続装置３０に識別情報を入力し、ネットワーク２０への接続可否を判定するので、端末２２での設定やメンテナンスの必要がない。また、ネットワーク２０の管理者が、ユーザ端末２２にインストールされたソフトウェアをチェックする必要もないという利点もある。
【０１４３】
また、上記の実施の形態では、ネットワーク接続装置３０に入力された認証情報に基づいてユーザの認証を行っているが、ユーザ認証は必ずしも必要ではない。ＩＣカード５８から読み出した識別情報のみにより、ユーザの端末２２を接続可能か否か判定してもよい。
【０１４４】
第３の実施の形態の変形例として、ネットワーク２０に接続可能と判定された場合に、ネットワーク２０にログインするための情報を端末２２に送信することとしてもよい。これにより、端末２２での識別情報の入力を省略してネットワークにログインすることができるので、ユーザにとって便利である。
【０１４５】
（第４の実施の形態）
次に、本発明の第４の実施の形態に係るネットワーク接続システム１０について説明する。ネットワーク接続システム１０は、第１の実施の形態に係るネットワーク接続システム１０と基本的な構成は同じであるが、ネットワーク接続装置３０に無線により接続された共通入力装置６４により識別情報および認証情報を入力する構成を採用している点が異なる。
【０１４６】
図１３は、第４の実施の形態でのネットワーク接続装置３０を示す図である。共通入力装置６４は、識別情報および認証情報を入力するための入力手段を備えている。識別情報を入力するための構成としては、例えば、ユーザＩＤを入力するためのキーパッドである。認証情報を入力させるための構成は、認証情報の種類に応じて様々なものが考えられる。例えば、認証情報が声紋である場合には音声録音装置によって構成され、認証情報が虹彩である場合には虹彩カメラによって構成される。また、共通入力装置６４は、ネットワーク接続装置３０と無線通信する機能を有する。共通入力装置６４は、例えば、ネットワーク接続装置３０が複数設けられたブースに置かれる。そして、共通入力装置６４とそれぞれのネットワーク接続装置３０とが無線通信することにより、共通入力装置６４に入力された識別情報または認証情報をネットワーク接続装置３０にて利用することができる。これにより、複数のネットワーク接続装置３０に対し、共通の入力手段を提供できる。
【０１４７】
第４の実施の形態では、ネットワーク接続装置３０は、共通入力装置６４と無線通信するための無線通信インターフェース部６２を有する。この無線通信インターフェース部６２により、ネットワーク接続装置３０は共通入力装置６４と無線通信可能となり、ネットワーク接続装置３０は、共通入力装置６４に入力された識別情報および認証情報を受信可能である。また、ネットワーク接続装置３０は、識別情報入力部３４を有している。これにより、共通入力装置６４を使用しないでネットワーク２０に接続することも可能となる。
【０１４８】
図１４は、第４の実施の形態に係るネットワーク接続装置３０の機能を示すブロック図である。ネットワーク接続装置３０は、ネットワークコネクタ部３６と端末コネクタ部３２との間の情報伝送を可能にするか否かを制御する制御部４２を有する。
【０１４９】
制御部４２は、識別情報を判定装置１４に送信する識別情報送信部３８と、認証情報を判定装置１４に送信する認証情報送信部４６と、ネットワーク２０への接続許可を示す接続許可情報を受信する受信部４０とを有している。無線通信インターフェース部６２によって共通入力装置６４から受信した識別情報は識別情報送信部３８に入力され、共通入力装置６４から受信した認証情報は認証情報送信部４６に入力される。
【０１５０】
図１５は、第４の実施の形態のネットワーク接続システム１０によるネットワーク接続の流れを示すフローチャートである。まず、ネットワーク接続装置３０の端末コネクタ部３２に端末２２のケーブル２４を接続する（Ｓ９０）。次に、共通入力装置６４に識別情報および認証情報を入力する（Ｓ９２）。共通入力装置６４は、ネットワーク接続装置３０に識別情報および認証情報を送信する（Ｓ９４）。
【０１５１】
ネットワーク接続装置３０は、共通入力装置６４から送信された識別情報および認証情報を受信すると（Ｓ９６）、受信した識別情報および認証情報を判定装置１４に送信する（Ｓ９８）。判定装置１４は、ネットワーク接続装置３０から送信された識別情報および認証情報を受信すると（Ｓ１００）、識別情報および認証情報に基づいてそのユーザの端末２２をネットワーク２０に接続可能か否かを判定する（Ｓ１０２）。ここで、識別情報および認証情報を用いたネットワーク接続可否の判定方法は、第１の実施の形態の変形例に係るネットワーク接続システム１０の場合と同様である。
【０１５２】
判定装置１４は、端末２２にネットワーク２０に接続可能と判定した場合には、接続許可情報をネットワーク接続装置３０に送信する（Ｓ１０４）。ネットワーク接続不可能と判定した場合には、判定装置１４は接続許可情報を送信せず、ネットワーク２０への接続のフローは終了する。
【０１５３】
ネットワーク接続装置３０は、判定装置１４から送信された接続許可情報を受信すると（Ｓ１０６）、制御部４２によりネットワークコネクタ部３６と端末コネクタ部３２との間の情報伝送を可能にし、端末２２をネットワーク２０に接続する（Ｓ１０８）。
【０１５４】
なお、ネットワーク接続装置３０が、識別情報および認証情報に基づくネットワーク２０への接続可否に関する情報を共通入力装置６４に送信してもよい。これにより、共通入力装置６４によりネットワーク２０への接続履歴を管理できる。以上、第４の実施の形態に係るネットワーク接続システム１０によるネットワーク２０への接続動作について説明した。
【０１５５】
第４の実施の形態に係るネットワーク接続システム１０は、識別情報および認証情報を共通入力装置６４に入力し、共通入力装置６４は識別情報および認証情報をネットワーク接続装置３０に送信する。この構成により、ネットワーク接続装置３０は、識別情報および認証情報を実際に入力するためのハードウェアを有しない構成とすることが可能である。認証情報入力のためのハードウェアを有する共通入力装置６４を複数のネットワーク接続装置３０で共有する構成により、システム構築のためのコストを低減できる。特に、ユーザの生体情報を認証情報として利用する際には、認証情報を入力するためのハードウェアが高価な場合があるので、このような構成が有効である。
【０１５６】
また、第１の実施の形態と同様に、端末２２の種類によらず、端末２２をネットワーク２０に接続することができるネットワーク接続システム１０を実現できる。また、ネットワークに接続可能と判定されて初めて、ネットワークコネクタ部３６と端末コネクタ部３２との間の情報伝送が可能となる構成により、ネットワーク２０のセキュリティを高めることができる。
【０１５７】
また、第１の実施の形態と同様に、ユーザの端末２２とは異なるネットワーク接続装置３０に識別情報を入力し、ネットワーク２０への接続可否を判定するので、端末２２での設定やメンテナンスの必要がない。また、ネットワーク２０の管理者が、ユーザ端末２２にインストールされたソフトウェアをチェックする必要もないという利点もある。
【０１５８】
また、上記の実施の形態では、共通入力装置６４に入力された認証情報に基づいてユーザの認証を行っているが、ユーザ認証は必ずしも必要ではない。共通入力装置６４または識別情報入力部３４に識別情報を入力させ、識別情報のみによってユーザの端末２２を接続可能か否か判定してもよい。
【０１５９】
また、上記の実施の形態では、ネットワーク接続装置３０と共通入力装置６４とは無線により通信するが、ネットワーク接続装置３０と共通入力装置６４はケーブルなどの有線により通信してもよい。
【０１６０】
第４の実施の形態の変形例として、ネットワークに接続可能と判定された場合に、ネットワーク２０にログインするための情報を端末２２に送信することとしてもよい。これにより、端末２２での識別情報の入力を省略してネットワーク２０にログインすることができるので、ユーザにとって便利である。
【０１６１】
以下、本発明の実施の形態に係るプログラムについて説明する。
【０１６２】
（第５の実施の形態）
図１６は、第５の実施の形態に係るプログラム７０の構成を説明する図である。図１６に示されるように、実施の形態に係るプログラム７０は、識別情報入力モジュール７２、識別情報送信モジュール７４、受信モジュール７６、および接続制御モジュール７８を有する。
【０１６３】
なお、このプログラム７０が実行されるコンピュータは、ネットワークに接続するためのネットワークコネクタ部と、端末を接続するための端末コネクタ部とを備えるコンピュータである。ネットワークコネクタ部は、専用のネットワークケーブルを受入れ可能な構成、またはネットワークケーブルを分離不可能に取り付ける構成であることが好ましい。端末コネクタ部は、一般的な接続インターフェースを有する。
【０１６４】
識別情報入力モジュール７２は、コンピュータによって実行することにより、識別情報の入力をコンピュータが受け付けることができるようにするモジュールである。識別情報送信モジュール７４は、コンピュータによって実行することにより、判定装置１４への識別情報の送信をコンピュータに行わせるモジュールである。すなわち、識別情報送信モジュール７４を実行することにより、第１の実施の形態に係るネットワーク接続装置３０の識別情報送信部３８と同じ機能を実現できる。受信モジュール７６は、コンピュータによって実行することにより、判定装置１４からの接続許可情報をコンピュータに受信させるモジュールである。すなわち、受信モジュール７６を実行することにより、第１の実施の形態に係るネットワーク接続装置３０の受信部４０と同じ機能を実現できる。接続制御モジュール７８は、コンピュータによって実行することにより、ネットワークへの接続可否の判定結果に基づいてネットワークコネクタ部と端末コネクタ部の間の情報伝送を可能とするか否かをコンピュータに制御させるモジュールである。入力された識別情報に基づいて、ネットワーク接続可能と判定された場合、コンピュータはネットワークコネクタ部と端末コネクタ部の間の情報伝送を可能とする。すなわち、接続制御モジュール７８を実行することにより、第１の実施の形態に係るネットワーク接続装置３０の制御部４２と同じ機能を実現できる。
【０１６５】
以上のように、第５の実施の形態のプログラム７０をコンピュータによって実行することにより、第１の実施の形態のネットワーク接続装置３０を実現できる。従って、第５の実施の形態のプログラム７０により、コンピュータは、端末の種類によらず、端末をネットワークに接続することができる。
【０１６６】
図１７は、第５の実施の形態の変形例に係るプログラム７０を示す図である。このプログラム７０は、認証情報入力モジュール８０および認証情報送信モジュール８２をさらに有している。
【０１６７】
認証情報入力モジュール８０は、コンピュータによって実行することにより、認証情報の入力をコンピュータが受け付けることができるようにするモジュールである。認証情報送信モジュール８２は、コンピュータによって実行することにより、判定装置１４への認証情報の送信をコンピュータに行わせるモジュールである。すなわち、認証情報送信モジュール８２を実行することにより、第１の実施の形態の変形例に係るネットワーク接続装置３０の認証情報送信部４６と同じ機能を実現できる。
【０１６８】
以上のように、変形例に係るプログラム７０をコンピュータによって実行することにより、第１の実施の形態の変形例に係るネットワーク接続装置３０を実現できる。従って、第５の実施の形態の変形例に係るプログラム７０により、コンピュータは、端末の種類によらず、端末をネットワークに接続することができる。また、入力された認証情報に基づいてユーザ認証を行うことで、ネットワークのセキュリティを高めることができる。
【０１６９】
（第６の実施の形態）
図１８は、第６の実施の形態に係るプログラム７０を示す図である。図１８に示されるように、第６の実施の形態に係るプログラム７０は、携帯電話機通信モジュール８４、識別情報送信モジュール７４、認証情報送信モジュール８２、受信モジュール７６、および接続制御モジュール７８により構成されている。
【０１７０】
なお、このプログラム７０が実行されるコンピュータは、ネットワークに接続するためのネットワークコネクタ部と、端末を接続するための端末コネクタ部と、携帯電話機を接続するための接続端子を備えるコンピュータである。
【０１７１】
携帯電話機通信モジュール８４は、コンピュータによって実行することにより、接続端子に接続された携帯電話機との通信をコンピュータに行わせるモジュールである。これにより、携帯電話機に格納された識別情報および認証情報をコンピュータが受信することが可能となる。
【０１７２】
識別情報送信モジュール７４、認証情報送信モジュール８２、受信モジュール７６および接続制御モジュール７８は、第５の実施の形態の変形例と同様である。
【０１７３】
第６の実施の形態に係るプログラム７０をコンピュータによって実行することにより、第２の実施の形態に係るネットワーク接続装置３０を実現できる。従って、第６の実施の形態のプログラム７０により、コンピュータは、端末の種類によらず、端末をネットワークに接続することができる。また、識別情報が記憶された携帯電話機を用いれば、携帯電話機からコンピュータに識別情報を転送できるので、識別情報を入力する手間が省け、ユーザにとって便利である。
【０１７４】
（第７の実施の形態）
図１９は、第７の実施の形態に係るプログラム７０を示す図である。図１９に示されるように、第７の実施の形態に係るプログラム７０は、ＩＣカードリードライトモジュール８６、認証情報入力モジュール８０、識別情報送信モジュール７４、ユーザ認証モジュール８８、受信モジュール７６、および接続制御モジュール７８により構成されている。
【０１７５】
なお、このプログラム７０が実行されるコンピュータは、ネットワークに接続するためのネットワークコネクタ部と、端末を接続するための端末コネクタ部と、ＩＣカードリーダライタを備えるコンピュータである。
【０１７６】
ＩＣカードリードライトモジュール８６は、コンピュータによって実行することにより、ＩＣリーダライタに挿入されたＩＣカードからのデータの読出し、およびＩＣカードへのデータの書込みをコンピュータに行わせるモジュールである。
【０１７７】
ユーザ認証モジュール８８は、コンピュータによって実行することにより、入力された認証情報に基づくユーザの認証をコンピュータに行わせるモジュールである。すなわち、第３の実施の形態のネットワーク接続装置３０のユーザ認証部６０の機能を実現することができる。
【０１７８】
認証情報入力モジュール８０、識別情報送信モジュール７４、受信モジュール７６および接続制御モジュール７８は、第５の実施の形態の変形例と同様である。
【０１７９】
第７の実施の形態に係るプログラム７０をコンピュータによって実行することにより、第３の実施の形態に係るネットワーク接続装置３０を実現できる。従って、第７の実施の形態のプログラムにより、コンピュータは、端末の種類によらず、端末をネットワークに接続することができる。また、識別情報が格納されたＩＣカードを用いれば、コンピュータはＩＣカードに格納された識別情報を読み出すことができる。これにより、コンピュータに識別情報を入力する手間が省け、ユーザにとって便利である。また、ＩＣカードに確認用の認証情報を記憶しておけば、コンピュータは、ＩＣカードに記憶された確認用認証情報を用いてユーザ認証を行える。
【０１８０】
（第８の実施の形態）
図２０は、第８の実施の形態に係るプログラム７０を示す図である。図２０に示されるように、第８の実施の形態に係るプログラム７０は、無線通信モジュール９０、識別情報送信モジュール７４、認証情報送信モジュール８２、受信モジュール７６、および接続制御モジュール７８により構成されている。
【０１８１】
なお、このプログラム７０が実行されるコンピュータは、ネットワークに接続するためのネットワークコネクタ部と、端末を接続するための端末コネクタ部と、無線通信のためのインターフェース部を備えるコンピュータである。
【０１８２】
無線通信モジュール９０は、コンピュータによって実行することにより、識別情報および入力情報を入力可能な入力装置との無線通信をコンピュータに行わせるモジュールである。これにより、入力装置に入力された識別情報および認証情報をコンピュータが受信することが可能となる。
【０１８３】
識別情報送信モジュール７４、認証情報送信モジュール８２、受信モジュール７６および接続制御モジュール７８は、第５の実施の形態の変形例と同様である。
【０１８４】
第８の実施の形態に係るプログラム７０をコンピュータによって実行することにより、第４の実施の形態に係るネットワーク接続装置３０を実現できる。従って、第８の実施の形態のプログラムにより、コンピュータは、端末の種類によらず、端末をネットワークに接続することができる。また、識別情報および認証情報を入力可能な入力装置を用いれば、コンピュータは、入力装置に入力された識別情報および認証情報を受信できる。従って、コンピュータを識別情報や認証情報を入力するためのハードウェアを有しない構成とすることができる。
【０１８５】
以上、本発明について、実施の形態を挙げて詳細に説明したが、本発明は上記の実施の形態に限定されるものではない。
【０１８６】
上記の実施の形態においては、ネットワーク接続装置３０の端末コネクタ部３２にケーブル２４を接続することにより、ネットワーク接続装置３０と端末２２を接続したが、ネットワーク接続装置３０と端末２２とは無線通信を行ってもよい。この場合、端末２２と無線通信するためのアンテナ部が端末インターフェース部を構成する。
【０１８７】
また、上記の実施の形態では、端末２２をネットワーク２０に接続可能か否か判定装置１４によって判定することとしたが、この判定はネットワーク接続装置３０が行ってもよい。
【産業上の利用可能性】
【０１８８】
本発明は、端末をネットワークに接続するためのネットワーク接続装置を有し、ネットワーク接続装置の識別情報入力部に識別情報を入力することによりネットワークへの接続を行えるので、ユーザの端末の種類によらないでネットワークへの接続処理を行うことでき、また、ネットワークに接続可能と判定されて初めてネットワークインターフェース部と端末インターフェース部との間の情報伝送を可能とする構成により、ネットワークのセキュリティを高めることができるというすぐれた効果を有し、端末をネットワークに接続するためのネットワーク接続装置等として有用である。
【図面の簡単な説明】
【０１８９】
【図１】第１の実施の形態に係るネットワーク接続システムの構成を示す図
【図２】第１の実施の形態に係るネットワーク接続装置を示す図
【図３】第１の実施の形態に係るネットワーク接続装置を示すブロック図
【図４】第１の実施の形態に係るネットワーク接続装置の動作を示す図
【図５】第１の実施の形態の変形例に係るネットワーク接続装置を示すブロック図
【図６】第１の実施の形態の変形例に係るネットワーク接続装置の動作を示す図
【図７】第２の実施の形態に係るネットワーク接続装置を示す図
【図８】第２の実施の形態に係るネットワーク接続装置を示すブロック図
【図９】第２の実施の形態に係るネットワーク接続装置の動作を示す図
【図１０】第３の実施の形態に係るネットワーク接続装置を示す図
【図１１】第３の実施の形態に係るネットワーク接続装置を示すブロック図
【図１２】第３の実施の形態に係るネットワーク接続装置の動作を示す図
【図１３】第４の実施の形態に係るネットワーク接続装置を示す図
【図１４】第４の実施の形態に係るネットワーク接続装置を示すブロック図
【図１５】第４の実施の形態に係るネットワーク接続装置の動作を示す図
【図１６】第５の実施の形態に係るプログラムを示す図
【図１７】第５の実施の形態の変形例に係るプログラムを示す図
【図１８】第６の実施の形態に係るプログラムを示す図
【図１９】第７の実施の形態に係るプログラムを示す図
【図２０】第８の実施の形態に係るプログラムを示す図
【符号の説明】
【０１９０】
１０  ネットワーク接続システム
１２  ネットワークサーバ
１４  判定装置
１６  端末
１８  ネットワークケーブル
２０  ネットワーク
２２  端末
２４  ケーブル
３０  ネットワーク接続装置
３２  端末コネクタ部
３４  識別情報入力部
３６  ネットワークコネクタ部
３８  識別情報送信部
４０  受信部
４２  制御部
５０  携帯電話機
５８  ＩＣカード
６４  共通入力装置
【図１】
2005056227.tif 000003
【図２】
2005056227.tif 000004
【図３】
2005056227.tif 000005
【図４】
2005056227.tif 000006
【図５】
2005056227.tif 000007
【図６】
2005056227.tif 000008
【図７】
2005056227.tif 000009
【図８】
2005056227.tif 000010
【図９】
2005056227.tif 000011
【図１０】
2005056227.tif 000012
【図１１】
2005056227.tif 000013
【図１２】
2005056227.tif 000014
【図１３】
2005056227.tif 000015
【図１４】
2005056227.tif 000016
【図１５】
2005056227.tif 000017
【図１６】
2005056227.tif 000018
【図１７】
2005056227.tif 000019
【図１８】
2005056227.tif 000020
【図１９】
2005056227.tif 000021
【図２０】
2005056227.tif 000022